(57)【要約】【課題】ベルトが挿通し易く、且つベルトから抜けにくい巻尺用ベルトクリップを提供することである。【解決手段】一端２ｂ側が巻尺ケース１に固定され、且つ他端２ｄ側が弾力的に巻尺ケース１に当接するように付勢されるクリップ片２ａを備えた巻尺用ベルトクリップ２において、クリップ片２ａの長さをベルト幅とほぼ同程度として、且つクリップ片２ａの他端２ｄが巻尺ケース１の端部１ａに位置するようにした。【選択図】　図２
2004144645.tif 000002
【特許請求の範囲】
【請求項１】
一端側が巻尺ケースに固定され、且つ他端側が弾力的に巻尺ケースに当接するように付勢されるクリップ片を備えた巻尺用ベルトクリップにおいて、
クリップ片の長さをベルト幅とほぼ同程度として、且つクリップ片の他端が巻尺ケースの端部に位置するようにしたことを特徴とする巻尺用ベルトクリップ。
【請求項２】
前記クリップ片をプラスチック樹脂製としたことを特徴とする請求項１記載の巻尺用ベルトクリップ。
【請求項３】
前記クリップ片の他端に、巻尺ケース側への内側の折り返しが形成されていることを特徴とする請求項１又は２記載の巻尺用ベルトクリップ。
【請求項４】
前記クリップ片の他端側に位置する巻尺ケースの端部はＲ又は面取りが形成されており、前記クリップ片の他端の折り返しに内方に傾斜する面取りが形成されており、
巻尺ケースの端部のＲ又は面取りと、前記クリップ片の他端とが互いに当接しているので、巻尺ケースの端部のＲ又は面取りとクリップ片の他端の面取りとで、断面が略三角形状の隙間を形成するようにしたことを特徴とする請求項１〜３のいずれかに記載の巻尺用ベルトクリップ。
【請求項５】
巻尺ケースの高さを約４０〜８０ｃｍとし、前記クリップ片の両端が前記巻尺ケースの高さ方向の両端に各々相当するように配置したことを特徴とする請求項１〜４のいずれかに記載の巻尺用ベルトクリップ。
【発明の詳細な説明】
【０００１】
【発明の属する技術分野】
本発明は、一端側が巻尺ケースに固定され、且つ他端側が弾力的に巻尺ケースに当接するように付勢されるクリップ片を備えた巻尺用ベルトクリップに関するものである。
【０００２】
【従来の技術】
使用しないときは長尺物をケース内に巻き込んで格納して携帯する長い物差しとして定義される巻尺には様々な種類がある。例えば、工業用から家庭用まで寸法測定に広く使用されるコンベックスタイプの巻尺がある。
【０００３】
このような巻尺は通常、持ち運びのときには、巻尺ケースに固定されたベルトクリップにベルトを挿通して携帯する。従来のベルトクリップ２０は、図３に示すように、ステンレス等の金属を折り曲げ成形して製作され、一端２１を巻尺ケース１に固定し、他端２２に外側に折り返し部２３を設けて板バネとして巻尺ケース１に当接するようにしている。ベルトクリップ２０のベルト４（図４（ａ）参照）を挟む幅の長さｌは、通常、３ｃｍ程度で、ベルトクリップ２０の一端２１は巻尺ケース１の中央にネジ止めにより取り付けられている。
【０００４】
【発明が解決しようとする課題】
しかしながら、従来の巻尺ケース用ベルトクリップでは、金属製であり、またベルトクリップ２０のベルト４を挟む部分の長さが３ｃｍ程度と短く、一般の作業着の布ベルト（以下、単にベルト）の幅が５ｃｍ程度であるため、図４（ａ）に示すように、ベルト４を挟持はするものの他端２２側はベルト４を単にベルトクリップ２０の他端２２の折り返し部２３が上から押さえているだけであるので、滑って抜け易く、作業者が屈んだりすると、ベルト４からベルトクリップ２０が滑り抜けてしまうという問題がある。すなわち、ベルトクリップ２０の長さがベルト４幅より短いため、ベルト４の下まで届いていないので、落下し易かった。
さらに、ベルトクリップ２０がベルト４を挟んでいるときには、ベルトクリップ２０の曲折部が弾性により拡がった状態であるため、長年の使用により、ベルトクリップ２０が変形してしまうという問題もある。
【０００５】
また、ベルトクリップ２０の他端２２に折り返し部２３があるが、図５（ａ）に示すように、巻尺ケース１との隙間が約３ｍｍ程度と狭いため、ベルト４を挿通し難いという問題があった。
さらに、巻尺ケース１を落とすと、金属製のベルトクリップ２０が通常０．５ｍｍ厚のステンレス製のため、つぶれ易いという問題がある。
また、ベルトクリップ２０が金属製であるため、ベルト４を傷つけ易いという問題もある。
上記の理由から、ベルトクリップを使用しないと答えた２４０人を対象にアンケートをとったところ、ベルトクリップを使用しない理由として、「落下する」が２８％、「着脱が面倒」が２２％という結果があり、「落下する」及び「着脱が面倒」を合わせると半数ある。
【０００６】
従って、本発明の一般的な目的は、上述した欠点のない巻尺用ベルトクリップを提供することである。
【０００７】
また、本発明の主な目的は、ベルトが挿通し易く、且つベルトから抜けにくい巻尺用ベルトクリップを提供することである。
【０００８】
【課題を解決するための手段】
上述の目的を達成するため、請求項１に記載の本発明は、一端側が巻尺ケースに固定され、且つ他端側が弾力的に巻尺ケースに当接するように付勢されるクリップ片を備えた巻尺用ベルトクリップにおいて、
クリップ片の長さをベルト幅とほぼ同程度として、且つクリップ片の他端が巻尺ケースの端部に位置するようにしたことを特徴とする。
【０００９】
請求項２に記載の本発明は、前記クリップ片をプラスチック樹脂製としたことを特徴とする。
【００１０】
請求項３に記載の本発明は、前記クリップ片の他端に、巻尺ケース側への内側の折り返しが形成されていることを特徴とする。
【００１１】
請求項４に記載の本発明は、前記クリップ片の他端側に位置する巻尺ケースの端部はＲ又は面取りが形成されており、前記クリップ片の他端の折り返しに内方に傾斜する面取りが形成されており、
巻尺ケースの端部のＲ又は面取りと、前記クリップ片の他端とが互いに当接しているので、巻尺ケースの端部のＲ又は面取りとクリップ片の他端の面取りとで、断面が略三角形状の隙間を形成するようにしたことを特徴とする。
【００１２】
請求項５に記載の本発明は、巻尺ケースの高さを約４０〜８０ｃｍとし、前記クリップ片の両端が前記巻尺ケースの高さ方向の両端に各々相当するように配置したことを特徴とする。
【００１３】
【発明の実施の形態】
次に、図面を参照して、本発明の実施の形態について詳細に説明する。図１は、本発明の一実施の形態の巻尺ケースに装着された巻尺用ベルトクリップの正面図、図２は、図１の側面図である。本発明は、以下の説明から分かるように、この実施の形態に限定されるものではなく、種々の改変が可能である。
【００１４】
巻尺は、互いに嵌合しうる半部分からなる巻尺ケース１を備え、その内部に長尺物であるテープ等を含む主な部分が配置される。
【００１５】
本実施の形態のベルトクリップ２は、開口部が狭まるような断面コ字状で、一片２ｃ側が巻尺ケース１にネジ止めで固定され、且つ他端２ｄ側が弾力的に巻尺ケース１に当接するように付勢されるクリップ片２ａを備えたものである。なお、一端２ｂ側は、巻尺ケース１側に折り返したコ字状の内側の一片２ｃを、巻尺ケース１の略中央部分でネジ３により固定される。ネジ止めが可能なように、クリップ片２ａの略中央に開口部２ｅを形成している。
【００１６】
クリップ片２ａの長さをベルト４幅とほぼ同程度（好ましくは、約４０〜８０ｍｍ、更に好ましくは４０〜６０ｍｍ、特に好ましくは５０ｍｍ程度）として、且つクリップ片２ａの他端２ｄが巻尺ケース１の端部に位置するようにする。
【００１７】
また、ベルトクリップ２をプラスチック樹脂製としている。プラスチックの種類は、所定の弾力性を有していれば、成形性、コストの観点から適宜選択する。例えば、ＡＢＳ樹脂が好ましく使用される。また、平均肉厚を３ｍｍ程度で、最厚部を５ｍｍ程度とすることにより、落下にも強くつぶれることがないＡＢＳ樹脂とすることにより変形しにくい。
【００１８】
クリップ片２ａの他端２ｄに図２及び図５（ｂ）に示すように、巻尺ケース１側の内側に折り返しが形成されている。折り返しは断面が三角形状で、角の一つが巻尺ケース１の端部１ａに当接するようになっている。また、クリップ片２ａの他端２ｄ側に位置する巻尺ケース１の端部１ａはＲ又は面取りが形成されており、クリップ片２ａの他端２ｄに内方に傾斜する面取りが形成されており、巻尺ケース１の端部１ａのＲ又は面取り、及びクリップ片２ａの他端２ｄの面取りが互いに内方で当接しているので、ベルト４挿通側に断面略三角形状の隙間を形成するようになっている。これにより、ベルト４挿通側の開口幅を５ｍｍ程度と大きくとることができるので（図５（ｂ）参照）、ベルト４の挿通が容易になる。
【００１９】
なお、クリップ片２ａの折り返しの外側に小突起状の係止部を設けることにより、ベルトクリップをベルトに装着したときに、上方に上がりにくくすることが可能となる。
【００２０】
【発明の効果】
請求項１に記載の本発明によると、一端側が巻尺ケースに固定され、且つ他端側が弾力的に巻尺ケースに当接するように付勢されるクリップ片を備えた巻尺用ベルトクリップにおいて、クリップ片の長さをベルト幅とほぼ同程度として、且つクリップ片の他端が巻尺ケースの端部に位置するようにした構成としたので、図４（ｂ）に示すように、ベルトがベルトクリップ内に完全に挿通された状態でベルトを包みこむようにしっかりフィットして挟持されるので、ベルトからベルトクリップが滑って抜け落ちることがなくなるため、巻尺の携帯性が向上する。また、ベルトがベルトクリップ内に完全に挟持された状態であるため、ベルトクリップが従来のようにベルトを挟んでいる間曲折部が広げられた状態となったままでないため、長年の使用においても、ベルトクリップが変形してしまうことがない。
また、クリップ片の他端が巻尺ケースの端部に位置するようにしたので、クリップ片の他端を広げ易くしたので、ベルトの挿通が容易になり、ベルトの着脱が容易になる。
【００２１】
請求項２記載の本発明によると、前記クリップ片をプラスチック樹脂製としたので、折り返しの形状を任意の形状とすることができ、成形性が向上する。形状に制限がなく、端部に返しをつけることが可能となる。また、プラスチック樹脂製であるため、金属製クリップのように、ベルトを傷つけることがなくなる。また、巻尺ケースを落としたときにも、金属製クリップでは、つぶれたりすることがあるが、プラスチック樹脂製では、つぶれたりすることが少ない。
【００２２】
請求項３記載の本発明によると、前記クリップ片の他端に、巻尺ケース側の内側の折り返しが形成されている構成としたので、ベルトが内側の折り返しに係止され、抜けて外れることがなくなる。
【００２３】
請求項４記載の本発明によると、前記クリップ片の他端側に位置する巻尺ケースの端部はＲ又は面取りが形成されており、前記クリップ片の他端の折り返しに内方に傾斜する面取りが形成されており、巻尺ケースの端部のＲ又は面取りと、前記クリップ片の他端の面取りとが互いに当接しているので、ベルト挿通側に断面に略三角形状の隙間を形成することができるため、巻尺ケース及びクリップ片の双方で隙間を作るようにしているので、ベルト挿通側の隙間及び開口角度を大きく形成することができ、ベルトの挿通が容易になる。
【００２４】
請求項５記載の本発明によると、巻尺ケースの高さを約４０〜８０ｍｍとし、前記クリップ片の両端が前記巻尺ケースの高さ方向の両端に各々相当するように配置した構成としたので、通常のベルト幅が４０〜６０ｍｍ程度であるので、ベルトをしっかり包み込んで安定して装着することができる。
【図面の簡単な説明】
【図１】本発明の一実施の形態の巻尺ケースに装着された巻尺用ベルトクリップの正面図である。
【図２】図１の側面図である。
【図３】従来の巻尺用ベルトクリップの側面図である。
【図４】（ａ）は、従来のベルトクリップにベルトを挟んだ状態を示す図、（ｂ）は、本発明のベルトクリップにベルトを挟んだ状態を示す図である。
【図５】（ａ）は、従来のベルトクリップの端部近傍の拡大図、（ｂ）は、本発明のベルトクリップの端部近傍の拡大図である。
【符号の説明】
１　巻尺ケース
２　ベルトクリップ
２ａ　クリップ片
２ｂ　一端
２ｃ　一片
２ｄ　他端
２ｅ　開口部
３　ネジ
４　ベルト
【図１】
2004144645.tif 000003
【図２】
2004144645.tif 000004
【図３】
2004144645.tif 000005
【図４】
2004144645.tif 000006
【図５】
2004144645.tif 000007